(57)【要約】【課題】本発明の目的は住宅の安全な壁用光コネクタを実現することができる光接続構造を提供することにある。【解決手段】電極挿入穴１３を備え、光ファイバ１５を配置させるコンセント１と、光ファイバ２５を配置させるアース電極２３を備えるプラグ２と、から構成され、アース電極２３が側面に開口部を備え、光ファイバ１５が付勢手段により所定位置に設定され、側面方向に移動可能となっており、コンセント１にプラグ２を差し込んだときに、アース電極２３が電極挿入穴１３の中に入るとともに、側面方向に移動してきた光ファイバ１５を開口部から受け入れて、光ファイバ１５と光ファイバ２５を接続されることを特徴とする。【選択図】図3
2015045666.tif 000002
【特許請求の範囲】
【請求項１】
挿入穴（１３）とレーザー光遮光部（２９）を備えるとともに、第１光伝送路（１５）を配置させる第１光接続構造体（１）と、第２光伝送路（２５）を配置させる光コネクタ部（２３）を備える第２光接続構造体（２）と、から構成され、
前記第２光接続構造体（２）の正面から突出した前記光コネクタ部（２３）が側面に開口部を備え、
前記第１光伝送路（１５）の端面が付勢手段により、前記挿入穴（１３）の入口と対向しない所定位置に設定され、レーザーを遮る前記レーザー光遮光部（２９）と対向し、該入口と対向する位置に移動可能となっており、
前記第１光接続構造体（１）に前記第２光接続構造体（２）を差し込んだときに、前記光コネクタ部（２３）が前記挿入穴（１３）の中に入り、前記第１光伝送路（１５）を前記側面の前記開口部から受け入れて、前記第１光伝送路（１５）と前記第２光伝送路（２５）が接続される光接続構造に用いたことを特徴とする第１光接続構造体（１）。
【請求項２】
請求項１に記載の第２光接続構造体（２）。
【請求項３】
請求項１に記載の第１光接続構造体（１）及び／又は第２光接続構造体（２）を備えることを特徴とする物。
【発明の詳細な説明】
【技術分野】
【０００１】
本発明は光接続構造に関する。
【背景技術】
【０００２】
従来、光接続構造が知られる。例えば、ＷＯ２００８／０２２１１２号公開公報の技術は、住宅の壁用光コネクタとして商用電源コンセントを用いて光接続構造を実現しており、目に有害なレーザー光が外部に漏れることを、防止するシャッター部を備える技術が開示されている。
【先行技術文献】
【特許文献】
【０００３】
【特許文献１】ＷＯ２００８／０２２１１２号公開公報
【発明の概要】
【発明が解決しようとする課題】
【０００４】
ところで、従来の光接続構造は、商用電源コンセントに組込むことで電源が供給されていない装置側からレーザー光が出ないと言った点で安全を確保することができるが、有害なレーザー光が外部に漏れることを防止する住宅の壁用光コネクタのシャッター部を子供などがこじ開ける危険性があると言った問題があった。
【０００５】
そこで、本発明の目的は、住宅の安全な壁用光コネクタを実現することができる光接続構造を提供することにある。
【課題を解決するための手段】
【０００６】
上記課題を解決するため本発明の光接続構造は、挿入穴（１３）を備えるとともに、第１光伝送路（１５）を配置させる第１光接続構造体（１）と、第２光伝送路（２５）を配置させる光コネクタ部（２３）を備える第２光接続構造体（２）と、から構成され、前記光コネクタ部（２３）が側面に開口部を備え、前記第１光伝送路（１５）の端面が付勢手段により、前記挿入穴（１３）の入口と対向しない所定位置に設定され、該入口と対向する位置に移動可能となっており、前記第１光接続構造体（１）に前記第２光接続構造体（２）を差し込んだときに、前記光コネクタ部（２３）が前記挿入穴（１３）の中に入り、前記第１光伝送路（１５）を前記側面の前記開口部から受け入れて、前記第１光伝送路（１５）と前記第２光伝送路（２５）が接続されることを特徴とする。
【発明の効果】
【０００７】
本発明によれば、光接続構造は、住宅の壁用光コネクタとして用いた場合に、シャッター部を設けていなくとも有害なレーザー光が外部に漏れる心配がない。また、商用電源コンセントのフレーム内の容積を増やすことなく商用電源コンセントに組込むことができる。延いては、住宅の安全な壁用光コネクタを実現することが容易にできる。
【図面の簡単な説明】
【０００８】
【図１】実施形態の光コネクタの正面図の一例である。
【図２】実施形態の光コネクタの断面図の一例である。
【図３】実施形態の配電・通信システムの構成図の一例である。
【図４】実施形態の光コネクタの接続図の一例である。
【図５】実施形態の可倒式光コネクタの構成図の一例である。
【発明を実施するための形態】
【０００９】
以下、本発明の一実施の形態について詳細に説明する。
【００１０】
図１は実施形態の光コネクタの正面図の一例である。例えば、光コネクタはコンセント１およびプラグ２から構成され、コンセント１は商用電源コンセントのJIS C 8303（IEC60884）などの規格を満たした電極挿入穴１１、１２、１３を有したパネル１０を備え、プラグ２は並行に延びた電力電極２１、２２およびアース電極２３を有したキャップ２０を備え、アース電極２３は正面と側面に開口を備え、光ファイバ２５（光伝送路）を内部に支持したフェルール２４を内装する筒を形成し、側面の開口が電力電極２１、２２の配置された側を向いている。後述する図２と図３において、コンセント１は図１のＡ−Ａ断面図であり、プラグ２は図１のＢ−Ｂ断面図である。
【００１１】
図２は実施形態の光コネクタの断面図の一例である。コンセント１は、ガイド穴３４、電力電極３１、３２、アース電極３３およびブロック３７を備えたフレーム１６にパネル１０を被せて形成される。また、ブロック３７の部分が取外し可能である。ガイド穴３４は、光ファイバ１５（光伝送路）を内部に支持したフェルール１４の側面が先端側に接合されたガイド部３５を内装したバネ１７が差し込まれている。また、バネ１７の延び縮みを阻害しない十分な内径を備える。
【００１２】
ガイド部３５は、先端側が三角形を形成し、反対側が円錐を形成する。バネ１７は、三角形の先端側でガイド部３５を保持する。フェルール１４は、アース電極３３の先端側の通電部に押されて、ガイド穴３４の側に付勢されている。また、付勢されたことにより、先端面が電極挿入穴１３と対向しないようになっており、光ファイバ１５のレーザー光がシャッターを設けていない電極挿入穴１３より漏れる心配がない。該レーザー光はフェルール１４と対向するレーザー光遮光板１８によって、吸収される。
【００１３】
プラグ２は、商用電源コンセントのJIS C 8303（IEC60884）などの規格を満たした電力電極２１、２２、アース電極２３がキャップ２０から並行に突出し、ケーブル４１の電源線が電力電極２１、２２に接続され、ケーブル４１のアース線がアース電極２３に接続されている。アース電極２３は、先端側の正面と側面に開口を備え、スリーブ３６を形成する。スリーブ３６は、２つのフェルール１４、２４の端面を対向させるのに必要な精度を有するフェルール孔を成し、ケーブル４１の光ファイバ２５を内部に支持したフェルール２４と、フェルール２４を押すバネ２７と、を備える。光延長コード３は、コンセント１、プラグ２及びケーブル４１で構成される延長コードの一例である。また、コンセント１を複数備えてケーブル４１上の電源線、アース線および光ファイバを複数のコンセント１に分岐して接続する構成としてもよい。また、ケーブル４１の両端がコンセント１同士または両端がプラグ２同士の組み合わせであってもよい。
【００１４】
図３は実施形態の配電・通信システムの構成図の一例である。配電・通信システムは、商用電力を供給する配電盤４２から伸びたケーブル４０の電力供給線およびアース線が電力電極３１、３２およびアース電極３３に接続され、ＬＡＮ（Local Area Network）を形成するハブ４３から伸びた光ファイバ１５がフェルール１４に支持され、プラグ２がコンセント１に差し込まれ、電力電極２１、２２およびアース電極２３がそれぞれ電極挿入穴１１〜１３の中に入り、電力電極３１、３２およびアース電極３３に電気的に接続され、フェルール１４がバネ１７に押されて側面方向に移動し開口からアース電極２３内に入って、アース電極２３内で側面方向に移動してきたフェルール１４（側面がアース電極２３の内側と当接して該移動が停止した状態のフェルール１４）の端面に、長手方向に移動してきたフェルール２４の端面が当接して光ファイバ１５と光ファイバ２５が光的に接続される。また、コンセント１に差し込まれたプラグ２を揺さぶるなどして抜く場合に、ガイド部３５がバネ１７により自由に動くことができるため、フェルール１４がアース電極２３の揺動に追従することが可能である。また、フェルール１４の後ろ側に当接部を備え、該当接部がブロック３７と当接してフェルール１４の後方への移動を停止させる構成としてもよく、このような構成だと、光ファイバ１５の端面と光ファイバ２５の端面を確実に当接させることができる。後述する図４（ｃ）のアース電極２３Ｓ（光コネクタ部）は、正面にシャッター部３８ａと、側面に内側に両開きするシャッター部３８ｂを備えると、光コネクタ部の構造をシャッター付き光コネクタの先端部構造に応用することができる。ハブ４３は、通信事業者などの通信網に接続されている。装置４４は、プラグ２とケーブル４１を備え、該通信網を経由してインターネットなどの通信ネットワークに接続されている。また、光伝送路と電源のそれぞれを分岐させる差込み接続器などを構成してもよい。また、コンセント１と同様の光接続構造を備えたコンセント１ｓを備えてもよい。
【００１５】
図４は実施形態の光コネクタの接続図の一例である。（ａ）のコンセント１（図３のＣ−Ｃ断面）は、電力電極２１が電力電極３１の先端側の通電部に挟まれ、電力電極２２が電力電極３２の先端側の通電部に挟まれ、アース電極２３にアース電極３３の先端側の通電部が当接している。
【００１６】
（ｂ）のコンセント１（図１のＡ−Ａ断面）は、光ファイバ２５を配置していない電力電極２１、２２およびアース電極２３Ｚを備えた従来のプラグ２がコンセント１に差し込まれ、電力電極２１、２２が電力電極３１、３２に電気的に接続され、アース電極２３Ｚにフェルール１４の側面およびアース電極３３の通電部が当接し、アース電極２３Ｚがアース電極３３に電気的に接続している。
【００１７】
（ｃ）のコンセント１（図１のＡ−Ａ断面）は、コンセント１側にフェルール１４を内装して保持したスリーブ３６Ｓを配置し、プラグ２（図１のＢ−Ｂ断面）側のアース電極２３Ｓにフェルール２４を配置した構成とし、プラグ２が差し込まれ、スリーブ３６Ｓ内で、フェルール１４の端面にフェルール２４の端面を当接させて光ファイバ１５と光ファイバ２５を光的に接続している。スリーブ３６Ｓは、２つのフェルールの端面を対向させるのに必要な精度を有するフェルール孔を成し、側面がガイド部３５の先端に接合されている。
【００１８】
図５は実施形態の可倒式光コネクタの構成図の一例である。上記実施例のプラグ２において、（ｄ）のキャップ正面２０ａに可倒溝２８を設け、アース電極２３（アース電極２３Ｓ）を可倒溝２８内に倒してキャップ正面２０ａに伏せた状態に収納可能な可倒構造を構成させた。また、光ファイバ２５の端面から漏れる電源供給時の物４５が発するレーザー光を吸収し遮光するレーザー光遮光板２９が、可倒状態のアース電極２３（アース電極２３Ｓ）に支持された光ファイバ２５の端面と対向する可倒溝２８の先端側に配置されている。また、可倒構造を電気コンセント以外の光コネクタの光伝送路の支持部に適用してもよい。また、（ｅ）のプラグ２が物４５に備わり、物４５が光ケーブル、電源装置、情報処理装置、光信号及び／又は商用電源を分岐する差込接続器などのいずれかを構成している。また、物４５にコンセント１（コンセント１ｓ）を備えてもよい。また、米国の電気コンセントの規格を満たす光コネクタに接続して光接続構造を形成するとともに、日本国内で普及しているアース電極を差し込めない２極の電気コンセントに接続することが容易である。また、他国や他地域の規格の電気コンセントに適応する構造に適宜変更することも可能である。情報処理装置の一例としては、テレビジョン受信機、コンピュータ、コンピュータ周辺機器などが挙げられる。アース電極２３（アース電極２３Ｓ）は、支持軸によってプラグ２に支持されており、支持軸にトーションばねを設けて、キャップ正面２０ａから突出した状態に付勢させてもよい。また、日本国内で流通している可倒式接地極を備えた電源プラグ（日動工業製）と同様の構造を備えてもよい。
【００１９】
上記実施形態において、各フェルール１４、２４は、少なくとも１つ以上の光ファイバを備える構成とすればよい。コンセント１は、ブロック３７の裏面に電線挿入口を備えてケーブル４０の電力供給線およびアース線を差し込み、ブロック３７内で電力電極３１、３２およびアース電極３３の端末部で鎖錠的に接続させる構成としてもよい。プラグ２はアース電極２３やアース電極２３Ｓに光伝送路を支持させたが、商用電源コンセント規格のＥタイプ（CEE7/5）などのプラグであれば、各電力電極２１、２２をアース電極２３やアース電極２３Ｓと同様の構造にし、各電力電極２１、２２に光伝送路を支持させ、電力電極２１、２２の双方の側面の開口が互いに平行に向かい合うように配置すると、コンセント１のフレーム内の容積を最小限に抑えることができる。
【００２０】
コンセント１またはプラグ２は、光伝送路としてフェルール１４、２４または光ファイバ１５、２５の替わりに、送受光素子またはＰＯＦ（Plastic Optical Fiber）などを配置してもよい。光接続構造は、コンセント１またはプラグ２以外の光コネクタ（構造体）に適用してもよい。また、挿入穴１３を備え、光伝送路１５を配置するコネクタ１と、光伝送路２５を配置する光コネクタ部２３（２３Ｓ）を備えるコネクタ２と、から構成され、光コネクタ部２３（２３Ｓ）が正面と側面に開口部を備え、光伝送路１５が側面からの付勢手段により、挿入穴１３の入口と対向しない所定位置に設定され、側面方向（該入口と対向する位置）に移動可能となっており、コネクタ１にコネクタ２を差し込んだときに、光コネクタ部２３（２３Ｓ）が挿入穴１３の中に入るとともに、側面方向に移動してきた光伝送路１５を開口部から受け入れて、光伝送路１５と光伝送路２５を接続されることを特徴とする。ここで、光コネクタ部２３（２３Ｓ）は、光伝送路２５に対するプロテクタ部を構成する。装置４４は、プラグ２側から電源が供給された場合に、ネットワーク側と光通信を確立するためにレーザー光を送信するが、所定の時間迄に該光通信が確立しなかった場合に、該レーザー光の送信を停止する構成が望ましい。また、ネットワーク側からレーザー光を受信した場合に、レーザー光を送信しネットワーク側と光通信を確立することとなる。
【００２１】
上記実施形態によれば、光コネクタは、住宅の壁用光コネクタとして用いた場合に、シャッター部を設けていなくとも有害なレーザー光が外部に漏れる心配がない。また、商用電源コンセントのフレーム内の容積を増やすことなく商用電源コンセントに組込むことができる。延いては、住宅の安全な壁用光コネクタを実現することが容易にできる。
【符号の説明】
【００２２】
１：１ｓ…コンセント，２…プラグ，３…光延長コード，１０…パネル，１１〜１３…電極挿入穴，１４：２４…フェルール，１５：２５…光ファイバ，１６…フレーム，１７：２７…バネ，１８：２９…レーザー光遮光板，２０…キャップ，２０ａ…キャップ正面，２８…可倒溝，２１：２２：３１：３２…電力電極，２３：２３Ｚ：２３Ｓ：３３…アース電極，３４…ガイド穴，３５…ガイド部，３６：３６Ｓ…スリーブ，３７…ブロック，３８ａ：３８ｂ…シャッター部，４０：４１…ケーブル，４２…配電盤，４３…ハブ，４４…装置，４５…物
【図１】
2015045666.tif 000003
【図２】
2015045666.tif 000004
【図３】
2015045666.tif 000005
【図４】
2015045666.tif 000006
【図５】
2015045666.tif 000007
【手続補正書】
【提出日】平成25年5月23日(2013.5.23)
【手続補正１】
【補正対象書類名】特許請求の範囲
【補正対象項目名】全文
【補正方法】変更
【補正の内容】
【特許請求の範囲】
【請求項１】
挿入穴（１３）とレーザー光遮光部（１８）を備えるとともに、第１光伝送路（１５）を配置させる第１光接続構造体（１）と、第２光伝送路（２５）を配置させる光コネクタ部（２３）を備える第２光接続構造体（２）と、から構成され、
前記第２光接続構造体（２）の正面から突出した前記光コネクタ部（２３）が側面に開口部を備え、
前記第１光伝送路（１５）の端面が付勢手段により、前記挿入穴（１３）の入口と対向しない所定位置に設定され、レーザーを遮る前記レーザー光遮光部（１８）と対向し、該入口と対向する位置に移動可能となっており、
前記第１光接続構造体（１）に前記第２光接続構造体（２）を差し込んだときに、前記光コネクタ部（２３）が前記挿入穴（１３）の中に入り、前記第１光伝送路（１５）を前記側面の前記開口部から受け入れて、前記第１光伝送路（１５）と前記第２光伝送路（２５）が接続される光接続構造に用いたことを特徴とする第１光接続構造体（１）。
【請求項２】
挿入穴（１３）とレーザー光遮光部（１８）を備えるとともに、第１光伝送路（１５）を配置させる第１光接続構造体（１）と、第２光伝送路（２５）を配置させる光コネクタ部（２３）を備える第２光接続構造体（２）と、から構成され、
前記第２光接続構造体（２）の正面から突出した前記光コネクタ部（２３）が側面に開口部を備え、
前記第１光伝送路（１５）の端面が付勢手段により、前記挿入穴（１３）の入口と対向しない所定位置に設定され、レーザーを遮る前記レーザー光遮光部（１８）と対向し、該入口と対向する位置に移動可能となっており、
前記第１光接続構造体（１）に前記第２光接続構造体（２）を差し込んだときに、前記光コネクタ部（２３）が前記挿入穴（１３）の中に入り、前記第１光伝送路（１５）を前記側面の前記開口部から受け入れて、前記第１光伝送路（１５）と前記第２光伝送路（２５）が接続される光接続構造に用いたことを特徴とする第２光接続構造体（２）。